(57)【要約】【課題】  事務処理や家庭においても利用する機会が多いメモ帳を、その機能面を保持したまま、商品価値を高めると共に、販促用の品物に効果的なメモ帳を提供する。【解決手段】  本考案のメモ帳は、同一の形状のメモ用紙１が積層された積層体２と、この積層体２の上面と上部側周とを覆って冠装した蓋状体３と、積層体２と蓋状体３とを一体に結着した紐体４より成る。【選択図】  図１
0003124629.tif 000002
【実用新案登録請求の範囲】
【請求項１】
同一の形状のメモ用紙が積層された積層体と、この積層体の上面と上部側周とを覆って冠装した蓋状体と、積層体と蓋状体とを一体に結着した紐体より成ることを特徴とするメモ帳。
【請求項２】
積層体の底面に当てるメモ用紙と同一形状の底板を有し、紐体で積層体及び蓋状体と共に結着したことを特徴とする請求項１記載のメモ帳。
【請求項３】
蓋状体と底板を繋ぐ連係片を有することを特徴とする請求項２記載のメモ帳。
【請求項４】
各メモ用紙が着脱可能に仮着して一体化していることを特徴とする請求項１乃至３のいずれか1項に記載のメモ帳。
【請求項５】
蓋状体、底板及び連係片が紙材で形成されていることを特徴とする請求項１乃至４のいずれか1項に記載のメモ帳。
【請求項６】
紐体がリボンである請求項１乃至５のいずれか1項に記載のメモ帳。
【考案の詳細な説明】
【技術分野】
【０００１】
本考案はメモ帳に関するものであり、詳しくは贈り物や商品・サービスの販促品などの対象として効果的なメモ帳に関するものである。
【背景技術】
【０００２】
従来のメモ帳は四角形のメモ用紙を多数枚積層し、一側端に背糊を付けて一纏めにしたもの、又は、メモ用紙の裏面一側近傍を粘着面とし、順次上下のメモ用紙を一体化すると共に、使用の時に剥いで目的場所へ仮着できるようにした基本的な構成を有する。
【０００３】
そして、単に積層したにとどまらないものとして、例えば、積層した周端面に任意の画像、文字や記号等を印刷して商品価値を高めた実用新案登録第３０９９３０９号や、複数組の単位積層シートを積層し、単位積層シートごとに異なった有色背糊で綴じ合わせ、シートの内容を識別できるようした特開２００４−３４３５８等がある。
【考案の開示】
【考案が解決しようとする課題】
【０００４】
本考案は、事務処理や家庭においても利用する機会が多いメモ帳を、その機能面を保持したまま、商品価値を高めると共に、販促用の品物に効果的なメモ帳を提供せんとするものである。
【課題を解決するための手段】
【０００５】
本考案のメモ帳は、同一の形状のメモ用紙が積層された積層体と、この積層体の上面と上部側周とを覆って冠装した蓋状体と、積層体と蓋状体とを一体に結着した紐体より成ることを特徴とする。
【０００６】
積層体の底面に当てるメモ用紙と同一形状の底板を有し、紐体で積層体及び蓋状体と共に結着したもの、或いは蓋状体と底板を繋ぐ連係片を有するものとしても良い。
【０００７】
各メモ用紙が着脱可能に仮着して一体化している従来のメモ用紙の積層体や、紐体にリボンを利用してもよく、蓋状体、底板及び連係片を紙材で形成したものとしてもよい。
【考案の効果】
【０００８】
蓋状体が積層体に冠装されているため、積層体と蓋状体が箱体に見え、加えて紐体で結着してあるから、全体で箱に紐体が掛けてあるように見え、箱は包装用箱を直感しその中にあるであろう何かを想像させる効果を有する。
その結果、箱に入れた贈り物等を想像させるものなり、勿論メモ用紙としての機能は有するのであるから、商品価値を高めると共に、販促用の品物に効果的なメモ帳となるのである。
【０００９】
そして、紐体で結着することで、仮着しているメモ帳が不慮の圧力でバラけることがない効果があり、強く結んでも蓋状体が角部を保護し、底板を当てれば底面の角部も保護され、更に、蓋状体と底板を繋ぐ連係片を設ければ、両者の一体性を強化することになり積層体の保護機能も強化される効果を発揮するのである。
【００１０】
また、紐体をリボンとすれば、贈り物風の効果を増大させ、蓋状体、底板及び連係片を紙材で形成したものは廉価で販促商品に適し、後の処分も容易となる効果を有するのである。
【考案を実施するための最良の形態】
【００１１】
本考案の実施の形態を図面に基づいて説明する。
図１は本考案の一実施の形態を示す斜視図であり、複数の同一のメモ用紙１を積層した積層体２と、蓋状体３及び紐体４であるリボンより構成されている。
【００１２】
メモ用紙１の積層体２は一側面に背糊５が施されてバラけずに一纏まりとなり、使用時には容易に剥ぎ取れる公知の構成を有する。
一纏めとするのに、メモ用紙１の裏面一側近傍、或いは上下に亘る一端部付近を粘着面とし、順次上下のメモ用紙１を一体化する他の公知手段を利用した積層体２としても良いことは言うまでもない。
また、積層するメモ用紙１の形状が正方形に限定されるものでなく長方形や他の多角形或いは楕円形等自由に形成し選択できる。
【００１３】
蓋状体３は、メモ用紙１と同一か僅かに大きい被覆面３Ａとその周端から下方へ略９０度折れ曲がった垂下片３Ｂより成り、垂下片３Ｂは積層体２の高さの３分の１強の上下長さを有し、積層体２の上面と上部側周とを覆って冠装できる形体としてある。
この蓋状体３を積層体２に冠装すると、積層体２が箱で、蓋状体３がその蓋の如く看取できるものとなる。
【００１４】
垂下片３Ｂの上下長さと積層体２の高さとの比率関係に限定はなく、箱と蓋との関係に見える比率であれば良く、また、垂下片３Ｂが一体に連続又は連結している必要もなく、図２のように４辺の角部が互いに離れたものであってもよい。
後述の紐体４で結着６すれば垂下片３Ｂは折れ曲がって積層体２の側面に当接し、却って積層体２との冠装、離脱をし易くできる利点がある。
【００１５】
蓋状体３は、機能上の支障がなければ材質は問わないけれど、紙材で形成するのが最適であり、また、紐体４としてリボンは贈答用に適するが、これに限定されるものでない。
さらに、結び方は、メモ用紙１が四角であれば各辺に跨って紐が回るように結着６するのがよい。
【００１６】
図３は、他の実施の形態を示す正面図であり、積層体２の底面にも底板７を当てて紐体４で結着６したものである。
また、図４は、蓋状体３と底板７を繋ぐ連係片８を設けた一実施の形態を示す斜視図であり、積層体２が蓋状体３と底板７及び連係片８で形成する空間９内に収容される格好で紐体４で結着６される。
【００１７】
積層体２への装着は、連係片８と一連に形成される垂下片３Ｃと被覆面３Ａとの間、又は連係片８と底板７との間が折曲自在となっていれば、装着するのに支障は無い。
そして、連係片８は一連に形成される垂下片３Ｃや底板７と、図４のように同一幅とする必要もなく、連繋できる幅を有していることで足りる。
【図面の簡単な説明】
【００１８】
【図１】本考案の一実施の形態を示す斜視図である。
【図２】方考案の蓋状体の他の実施の形態を示す斜視図である。
【図３】本考案の他の実施の形態を示す正面図である。
【図４】方考案の他の実施の形態を示す部材の斜視図である。
【符号の説明】
【００１９】
１          メモ用紙
２          積層体
３          蓋状体
３Ａ        被覆面
３Ｂ、３Ｃ  垂下片
４          紐体
５          背糊
６          結着
７          底板
８          連係片
９          空間
【図１】
0003124629.tif 000003
【図２】
0003124629.tif 000004
【図３】
0003124629.tif 000005
【図４】
0003124629.tif 000006